(57)【要約】  本発明は、膣鏡、再使用可能な電気デバイス、およびこれらの組立体に関する。膣鏡は、膣内に導入され得る。開状態および閉状態を有する少なくとも１つのスプーンブレードを有する検鏡ハウジングが、提供される。ハウジングは、遠位端部に向かって長手方向に見ることを可能にするように構成される。検鏡ハウジング部が、長手方向に延びる。再使用可能な電気デバイスは、照明装置またはカメラなどの１つまたは複数の機能を有する。電気デバイスは、アパーチャを備えたハウジングと、電気デバイスハウジング内に受け入れられた、たとえば電池を備える回路とを備える。膣鏡および再使用可能な電気デバイスは、膣鏡に再使用可能な電気デバイスを解放可能に連結するための連結システムを共有することができ、連結システムは、再使用可能な電気デバイスを挿入するための挿入方向を有し、挿入方向は、近位端部から遠位端部に延び、連結システムは、再使用可能な電気デバイスを膣鏡ハウジング内に前記検鏡ハウジング部に沿って位置決めするように構成される。さらに、電気デバイスは、安全特徴を有することができる。
2019534093.tif 000002
【特許請求の範囲】
【請求項１】
膣鏡および再使用可能な電気デバイスの組立体であって、
前記膣鏡は、膣内に導入されるように構成され、前記膣鏡は、検鏡ハウジングと、前記膣鏡の開状態および閉状態をもたらすための少なくとも１つのスプーンブレードとを備え、前記膣鏡は、近位端部と遠位端部とを有し、前記検鏡ハウジングは、長手方向を有し、前記検鏡ハウジングは、前記遠位端部に向かって前記長手方向に見ることを可能にするように構成され、検鏡ハウジング部が、前記長手方向に延び、
照明装置またはカメラなどの機能を有する前記再使用可能な電気デバイスは、アパーチャを備えた電気デバイスハウジングと、前記電気デバイスハウジング内に受け入れられた、たとえば電池を備える回路とを備え、
前記膣鏡および前記再使用可能な電気デバイスは、前記再使用可能な電気デバイスを前記膣鏡に解放可能に連結する、好ましくは解放可能にロックするための連結システム、好ましくは案内レールを有し、前記連結システムは、前記再使用可能な電気デバイスを挿入するための挿入方向を有し、前記挿入方向は、前記近位端部から前記遠位端部に延び、前記連結システムは、前記再使用可能な電気デバイスを膣鏡ハウジング内に前記検鏡ハウジング部に沿って位置決めするように構成される、組立体。
【請求項２】
前記スプーンブレードが、ヒンジを介して前記検鏡ハウジングに連結され、前記連結システムは、前記電気デバイスの遠位端部を前記ヒンジの近位に、またはヒンジのところにもしくは最大でも１ｃｍ遠位に位置決めするように構成される、請求項１に記載の組立体。
【請求項３】
前記連結システムが、前記再使用可能な電気デバイスの近位端部を、使用時に前記膣の外側に留まるように配置された前記膣鏡の部分よりも近位に位置決めするように構成される、請求項１または２に記載の組立体。
【請求項４】
前記再使用可能な電気デバイスが、ワイヤレス通信モジュールを有し、外部有線接続を有さず、または前記再使用可能な電気デバイスが、近位端部において前記再使用可能な電気デバイスのハウジングを退出する有線コネクタを有する、請求項１から３のいずれか一項に記載の組立体。
【請求項５】
前記検鏡ハウジング部における前記長手方向を横断する断面が、中空であり、好ましくは全体的にＯ字形状であり、前記連結システムは、前記再使用可能な電気デバイスを前記中空の好ましくはＯ字形状またはＣ字形状のハウジング部内におよび近接して位置決めし、好ましくは前記ハウジング部は、使用中、一定の円周を有する、請求項１から４のいずれか一項に記載の組立体。
【請求項６】
前記電気デバイスが、ある焦点距離を有するレンズを有し、膣鏡および前記電気デバイスの寸法は、使用時に前記スプーンブレードが開かれたとき、前記レンズが前記膣の内部に位置決めされるようなものである、請求項１から５のいずれか一項に記載の組立体。
【請求項７】
前記検鏡ハウジングが、塗抹デバイスの導入を可能にするようにさらに構成され、前記検鏡ハウジングは、前記塗抹デバイスの遠位端部および前記電気デバイスの焦点が全体的に一致するように前記塗抹デバイスを支持するように構成される、請求項５に記載の組立体。
【請求項８】
前記スプーンブレードが、ヒンジを介して前記検鏡ハウジングに連結され、前記膣鏡は、使用時（前記膣に挿入されたとき）前記膣の外側に留まるように配置された部分を有し、前記ヒンジは、前記膣の外側に留まるように配置された最も遠位の部分よりも前記遠位端部に近接して配置される、請求項１から７のいずれか一項に記載の組立体。
【請求項９】
前記検鏡ハウジングおよび閉状態にあるスプーンブレードが、全体的に、前記検鏡ハウジングの前記遠位端部に向かって収束する形状を有する、請求項１から８のいずれか一項に記載の組立体。
【請求項１０】
前記検鏡ハウジング、特に前記検鏡ハウジング部の外部表面が、前記検鏡ハウジング部の外側表面上に、挿入されたときに外肛門括約筋および／または恥骨直腸筋によって形成された筋肉組織のリングと係合するように構成された狭窄部を有し、より好ましくは前記狭窄部は、前記スプーンブレードから近位に配置され、さらにより好ましくは、前記膣の外側に留まるように配置された前記膣鏡の最も遠位の部分よりも前記遠位端部に近接して配置され、より好ましくは、ヒンジが、前記狭窄部よりも遠位に配置される、請求項１から９のいずれか一項に記載の組立体。
【請求項１１】
前記膣鏡が、使い捨て可能な膣鏡である、請求項１から１０のいずれか一項に記載の組立体。
【請求項１２】
前記膣鏡が、たとえば押棒として具現化された、１つのスプーンを作動させるための作動デバイスを有し、前記作動デバイスは、前記検鏡ハウジング内で摺動可能に案内され、前記連結システムは、前記作動デバイス上に少なくとも部分的に形成される、請求項１から１１のいずれか一項に記載の組立体。
【請求項１３】
作動デバイスおよび前記再使用可能なデバイスが、汚染を軽減するために前記検鏡ハウジングの上側に位置決めされ、ならびに／または
前記作動デバイスおよび前記スプーンブレードが、前記スプーンブレードを適所にロックするためのロッキングシステムを有し、ならびに／または
前記作動デバイスが、ヒンジを介して連結された近位アームおよび遠位アームを備え、前記遠位アームは、前記スプーンブレードに連結可能であり、ならびに／または
前記作動デバイスが、ユーザによる作動後に前記作動デバイスの位置を維持するように構成されたラチェット機構と、前記ラチェット機構を結合解除して前記ラチェット機構をリセットすることを可能にするために前記ユーザによって作動され得る結合解除デバイスとを備える、請求項１１に記載の組立体。
【請求項１４】
使用時、前記作動デバイスが、前記膣鏡の前記遠位端部に向かって動かされ、それによって前記再使用可能な電気デバイスを遠位方向に動かす、請求項１１または１２に記載の組立体。
【請求項１５】
前記作動デバイスが、前記作動デバイスの近位端部近くに、前記作動デバイスを作動させるために操作者によって係合されるように構成された作動デバイス切欠部を有し、前記連結システムは、前記再使用可能な電気デバイスの近位端部を作動デバイス切欠部近くに位置決めするように構成される、請求項１１から１３のいずれか一項に記載の組立体。
【請求項１６】
前記再使用可能な電気デバイスが、作動デバイス切欠部に近接して位置決めされた前記近位端部近くにインターフェース手段を有し、より好ましくは、前記作動デバイス切欠部および前記再使用可能な電気デバイスの前記近位端部は、使用時に前記膣の外側に留まるように配置された前記膣鏡の部分のいずれの部分よりも近位に配置される、請求項１１から１４のいずれか一項に記載の組立体。
【請求項１７】
膣鏡内に嵌合されるための電気デバイスであって、前記電気デバイスが、１つまたは複数の電気式デバイスが内部に受け入れられるハウジングを有し、１つの電気式デバイスが、遠位方向に向けられたセンサであり、前記ハウジングが、さらに、前記電気デバイスを前記遠位方向に挿入することによって前記膣鏡のハウジング部に沿って連結するための連結システムを有し、前記ハウジングの近位端部は、前記１つまたは複数の電気式デバイスを制御するための１つまたは複数のインターフェースデバイスを備える、電気デバイス。
【請求項１８】
前記電気デバイスが、温度センサと制御回路とを有し、前記制御回路は、前記温度センサが所定の安全温度を上回る温度を測定すると、措置を講じるように構成される、請求項１７に記載の電気デバイス。
【請求項１９】
膣鏡内に嵌合されるための再使用可能な電気デバイスであって、前記電気デバイスが、電池および１つまたは複数の機能モジュールが内部に受け入れられるハウジングを有し、遠位端部の近くに少なくともカメラモジュールと、近位端部の近くにＷＩＦＩモジュールなどの通信モジュールとを含む、再使用可能な電気デバイス。
【請求項２０】
前記通信モジュール、好ましくはアンテナが、前記電池よりも近位にある、請求項１９に記載の再使用可能な電気デバイス。
【発明の詳細な説明】
【技術分野】
【０００１】
本発明は、膣内に導入するための膣鏡に関する。
【背景技術】
【０００２】
膣鏡は、一般に、調整可能であり、長手方向に配置されたスプーンブレードの対と、ハンドルとを含む。これらのブレードは、膣に挿入され、この検鏡によって作りだされた／開かれた膣腔を拡張するように枢動式に調整される。検鏡は通常、膣壁、頸部、または子宮を視覚的に観察し、さまざまな処置を実施するための腔口を体内に作りだすために、医療施術者、特に産科医、婦人科医、および手術医によって使用される。
【０００３】
世界中の多くの女性が低コストで入手できるために、使い捨て可能な膣鏡が利用可能である。膣鏡は、訓練を受けた操作者および訓練を受けていない操作者によって使用され得る。膣鏡は、第３者によって対象者に使用可能であり、または対象者が自身で検鏡を挿入することができる。
【０００４】
本体と、単一のスプーンブレードとを備えた膣鏡が知られている。欧州特許第１３４３４１２号は、膣鏡を説明しており、本明細書において開示されるさらなる開発のための起点として解釈されている。欧州特許第１３４３４１２号は、参照によって全体的に含められる。
【０００５】
いくつかの機能が検鏡と組み合わせて実施可能であるが、その機能は、カメラ機能などのさらにコストがかかる装置を必要とする。
【発明の概要】
【０００６】
本発明の目標は、既存の機能／特性／用途の１つまたは複数を可能にし、検鏡、特に使い捨て可能な検鏡の１つまたは複数の特性を改良することを可能にする、検鏡を提供することである。別の目的は、低コストで検鏡を入手できることである。さらに別の目的は、難なく取り扱うことができるいくつかの機能を備えた検鏡を提供することである。別の目標は、安全な検鏡を提供することである。また、検鏡と組み合わせて衛生性を提供することも目標である。１つまたは複数の追加のまたは改良された機能を備えた検鏡を提供することが目標である。上記の目標および目的の少なくとも１つまたは複数は、本発明によって達成されるものである。
【０００７】
本発明の態様によれば、膣鏡および再使用可能な電気デバイスの組立体が、提供される。再使用可能な電気デバイスは、カメラ機能、点灯機能などの１つまたは複数の電気機能、好ましくは電子機能を提供するデバイスである。再使用可能な電気デバイスは、アパーチャを備えた電気デバイスハウジングと、たとえば電気デバイスハウジング内に受け入れられた、電池を備える回路とを備える。ハウジングは、１つまたは複数の機能を取り囲む。ハウジング内のアパーチャを通して、光が入ることができ、または放射され得る。アパーチャは、透明ハウジング部分または窓であることができる。一実施形態では、電気デバイスは、ある焦点距離を有するレンズを有し、膣鏡および電気デバイスの寸法は、使用時にスプーンブレードが開かれたとき、レンズが膣の内部に位置決めされるようなものである。
【０００８】
電気デバイスは、これが膣内への種々の挿入中に使用できるという点で再使用可能である。膣鏡は、使い捨て可能な検鏡であることができる。
【０００９】
本発明の実施形態によれば、膣鏡は、膣内に導入されるように構成される。膣鏡は、検鏡ハウジングと、膣鏡の開状態および閉状態をもたらすための少なくとも１つのスプーンブレードとを備える。閉状態では、膣鏡は、膣内に挿入され、膣から取り出すことができる。挿入されたとき、ブレードは、開状態に動かされて、ハウジングを通して膣内を見ることを可能にすることができる。
【００１０】
諸実施形態では、膣鏡は、近位端部と、遠位端部とを有し、検鏡ハウジングは、長手方向を有し、ハウジングは、遠位端部に向かって長手方向に見ることを可能にするように構成される。このために、ハウジングは、ユーザが見ることを可能にする観察開口部を有する。ハウジングは、遠位端部を見ることを可能にするために中空である。観察窓、すなわち女性の内部をそこから検査する、遠位端部にある開口部は、スプーンブレードを開くことによって拡大されて、女性の内部を見ることを可能にする。
【００１１】
諸実施形態では、検鏡ハウジングは、長手方向に延びるハウジング部を有する。検鏡ハウジングは、膣壁と接触することができる外部表面を有する。検鏡のハウジングの１つまたは複数の内部表面は、観察開口部を取り囲む。好ましくは、このハウジング部は、長手方向に対して垂直なＯ字形、Ｃ字形、またはＵ字形の断面を有する。
【００１２】
電気デバイスは、好ましくは、電池などの電源および／または電気機能の１つまたは複数を作動させるためにエネルギーを受けるためのワイヤレス受信器を有する独立した電気デバイスである。これにより、外側との接続無しに作動する膣鏡が得られる。外側との接続は、検鏡の位置決めを損ない、挿入された後の膣鏡に力を及ぼす可能性がある。
【００１３】
本発明の実施形態によれば、膣鏡および再使用可能な電気デバイスは、連結システムを有する。連結システムは、再使用可能な電気デバイスを検鏡に装着することを可能にする。再使用可能な電気デバイスは、一方ではこれが最適な方法で作動され、他方では検鏡を通した視野の大部分がユーザに見えるままであるように検鏡に装着される。外側との接続を有さない独立した電気デバイスは、位置決めに必要とされる力を軽減する。
【００１４】
いくつかの実施形態では、電気デバイスは、インターフェースまたはコンピュータなどの制御デバイスに外部から接続され得る接続線を備える。この有線接続は、好ましいワイヤレス接続の代わりとなる。ワイヤレス接続または有線接続は、電気デバイスの１つまたは複数の電気機能を制御することを可能にする。
【００１５】
諸実施形態では、連結システムは、案内レールを備える。連結システムは、再使用可能なデバイスを解放可能に連結することを可能にする。連結システムは、再使用可能なデバイスを膣鏡に解放可能にロックすることを可能にする。連結システムは、電気デバイスを検鏡に連結し、膣鏡の挿入および使用中にこれを適所に装着することを可能にする。
【００１６】
連結システムは、再使用可能な電気デバイスを挿入するための挿入方向を有する。連結システムの挿入方向は、全体的に近位端部から遠位端部に延びる。挿入方向は、観察方向に対して平行であることができる。これは、使いやすい設計をユーザに提供する。
【００１７】
さらに、本発明の実施形態では、連結システムは、好ましくは、再使用可能な電気デバイスを膣鏡ハウジング内に前記検鏡ハウジング部に沿って位置決めするように構成される。したがって、電気デバイスは、ハウジング内に遠位端部に向かって挿入されて、検査対象の領域により近接して位置決めされる。長手方向に延びる検鏡ハウジングの内部ハウジング部に沿って再使用可能なデバイスを装着することにより、視野はほとんど損なわれない。これはまた、電気デバイスを検鏡の遠位端部により近接して、すなわち観察窓により近接して位置決めすることを可能にする。これは、次いで、より近接した検査を可能にする。
【００１８】
好ましくは、連結システムは、スプーンブレードから近位に、特にスプーンブレードをハウジングに連結するヒンジから近位に位置決めされる。好ましくは、連結システムは、使用時、再使用可能な電気デバイスの遠位端部がスプーンブレード、たとえばスプーンブレードとハウジングのヒンジ連結部から近位に位置決めされるように構成される。その結果、スプーンブレードを開いた後でも、使用時の電気デバイスは、ハウジングによって取り囲まれて、たとえば女性の組織との接触を防止する。
【００１９】
好ましくは、使用時、電気デバイスは、電気デバイスの遠位端部および近位端部がハウジングのそれぞれの端部ほど遠位および近位にならないように位置決めされる。それにしたがって、電気デバイスは、ハウジングによって取り囲まれる。
【００２０】
諸実施形態では、使用時、再使用可能な電気デバイスの近位端部は、膣の外部に位置決めされる。好ましくは、連結システムは、電気デバイスの近位端部を膣から外部に保つように構成される。諸実施形態では、検鏡は、そのハウジング上に、切欠部、停止部または広がりウィングなどの、膣に入らないように配置されたデバイスを有し、連結システム内に設置された電気デバイスの近位端部は、このデバイスよりさらに近位に保持される。
【００２１】
好ましい実施形態では、再使用可能なデバイスがそれに沿って位置決めされるハウジング部は、使用中に膣の内部に持っていかれる。これにより、使用時の電気デバイスは内部に、または少なくともほとんど内部に位置決めされる。使用時、電気デバイスの近位端部が膣の外部にあることが可能である。電子デバイスがそれに沿って位置決めされるハウジング部は、膣の外側に留まるように配置された膣鏡の最も遠位の部分よりも遠位端部に近接して位置決めされる。好ましくは、前記ハウジング部は、スプーンブレードから近位に配置される。好ましくは、スプーンブレードをハウジングに連結するヒンジは、前記ハウジング部よりも遠位に配置される。
【００２２】
好ましくは、ハウジング、特に電気デバイスがそれに沿って延びる前記ハウジングは、その外側表面に、挿入されたときに外肛門括約筋および／または恥骨直腸筋によって形成された筋肉組織のリングと係合するように構成された狭窄部を有する。通常、狭窄部は、骨盤底と係合することができる。好ましくは、膣鏡は、狭窄部を外側表面に有し、内部表面に沿って再使用可能なデバイスが位置決めされる、ハウジング部を有する。
【００２３】
好ましくは、狭窄部は、スプーンブレードから近位に、さらにより好ましくは、膣の外側に留まるように配置された膣鏡の最も遠位の部分よりも遠位端部に近接して配置される。好ましくは、スプーンブレードをハウジングに連結するヒンジが、狭窄部より遠位に配置される。それにしたがって、筋肉はハウジング部上の狭窄部と係合して、ヒンジおよびスプーンブレードをより内部に位置決めし、その結果スプーンブレードを開く力をより小さくする。
【００２４】
諸実施形態では、前記検鏡ハウジング部における長手方向を横断する断面は、全体的にＯ字形状である。ハウジング部は、高い剛性を有する。連結システムは、再使用可能な電気デバイスをＯ字形ハウジング部内におよび近接して位置決めする。使用中、前記ハウジング部は、一定の円周を有する。
【００２５】
諸実施形態では、ハウジングは、塗抹デバイスの導入を可能にするようにさらに構成される。塗抹デバイスは、試料を採取することを可能にする。塗抹デバイスは、膣鏡内に装着された再使用可能な電気デバイスと組み合わせて導入され得る。好ましい実施形態では、ハウジングは、塗抹デバイスの遠位端部および電気デバイスの焦点が全体的に一致するように塗抹デバイスを支持するように構成される。これにより、電子デバイスを介して試料領域を見ると同時に試料を採取することが可能になる。
【００２６】
諸実施形態では、スプーンブレードは、ヒンジを介して検鏡ハウジングに連結され、膣鏡は、使用時（膣に挿入されたときに）膣の外側に留まるように配置された部分を有し、ヒンジは、膣の外側に留まるように配置された最も遠位の部分よりも遠位端部に近接して配置される。
【００２７】
例として、スプーンブレードが閉状態にある検鏡ハウジングは、通常、その遠位端部方向に収束する形状を有する。これにより、使い勝手の良さが高められる。
【００２８】
膣鏡、たとえば拡張を操作するためであるが、好ましくはスプーンを閉状態から開状態に作動させるために、膣鏡は作動デバイスを有する。作動デバイスは、押棒として具現化され得る。作動デバイスは、ガイド内に保持され、ハウジング内で摺動することができる。本発明の実施形態では、連結システムは、作動デバイス上に少なくとも部分的に形成される。そのような実施形態では、再使用可能な電気デバイスは、作動デバイスに装着され、これと一緒に動かされ得る。これにより、電気デバイスを膣鏡の作動デバイスに、ハウジングに対する第１の位置で装着することが可能になる。その後、検鏡は膣内に挿入され、作動デバイスは、これを膣鏡の遠位端部に向かって動かすことによって、たとえば膣にさらに押し込められることによって作動される。その結果、電子デバイスもまた、検鏡の遠位端部に向かって動かされ、調査対象の領域により近接するように持っていかれる。
【００２９】
好ましくは、作動デバイスおよび再使用可能なデバイスは、汚染を軽減するために検鏡ハウジングの上部に位置決めされる。重力の結果、膣液の大部分は、再使用可能なデバイスの装着位置から距離を置いて、検鏡ハウジングの下側に集まる。
【００３０】
諸実施形態では、作動デバイスは、スプーンを作動させるための棒である。作動デバイスおよびスプーンブレードは、これらを連結するためのロッキングシステムを有することができる。これは、組み立てコストを安くするための好ましい配置（ｃｏｎｓｔｅｌｌａｔｉｏｎ）である。ロッキングシステムは、作動デバイスおよびスプーンブレードの成形中に形成された受け入れ空間内に受け入れられる簡単なインターロッキング切欠部を備えることができる。作動デバイスおよびスプーンを連結するために糊または他の接着剤は使用されない。
【００３１】
諸実施形態では、作動デバイスは、ヒンジを介して連結された近位アームおよび遠位アームを備え、近位アームは、スプーンブレードに連結可能である。これは、さらに、スプーンブレードを第１のヒンジ点周りにヒンジ留めし、２部分の作動デバイスを２つのアーム部分間のそれ自体のヒンジを介してヒンジ留めする。
【００３２】
一実施形態では、作動デバイスは、ユーザによる作動後に作動デバイスの位置を維持するように構成されたラチェット機構と、ラチェット機構を結合解除してラチェット機構をリセットすることを可能にするためにユーザによって作動され得る結合解除デバイスとを備える。
【００３３】
連結システムが作動デバイス上にある実施形態では、作動デバイスが、その近位端部近くに、作動デバイスを作動させるために操作者によって係合されるように構成された作動デバイス切欠部を有し、連結システムは、再使用可能な電気デバイスの近位端部を作動デバイス切欠部近くに位置決めするように構成されることがさらに有用である。操作者は、たとえば自己検査の場合、片手の指を作動デバイスの切欠部に係合させる。これらの同じ指、またはこれらの指の１本で、手を動かす必要なく、作動デバイスと再使用可能な電気デバイスの両方を作動させることができる。片手を用いて、たとえばスプーンを作動させるための作動デバイスと再使用可能な電気デバイスの両方が、作動され得る。再使用可能な電気デバイスは、作動デバイス切欠部に近接して位置決めされた近位端部近くにインターフェース手段を有することができる。作動デバイス切欠部および再使用可能な電気デバイスの近位端部は、使用時に膣の外側に留まるように配置された膣鏡の部分のいずれの部分よりも近位に配置される。
【００３４】
したがって、妊娠モニターである検鏡が設けられ得る。より全般的には、健康観察品質を有する検鏡が設けられる。たとえば、がんまたは感染症などの健康上のリスクを検出するか、または監視するための検出機構を加えることが可能である。本発明による知能型検鏡および組立体は、遠隔婦人科学の基礎として機能することができる。
【００３５】
本発明の一態様によれば、再使用可能な電気デバイスが、提供される。再使用可能な電気デバイスは、膣鏡内に嵌合され得る。電気デバイスは、１つまたは複数の電気式デバイスが内部に受け入れられるハウジングを有する。１つの電気式デバイスは、遠位方向に向けられたセンサである。ハウジングは、電気デバイスを遠位方向に挿入することによって膣鏡のハウジング部に沿って連結することを可能にするための連結システムをさらに有し、ハウジングの近位端部は、１つまたは複数の電気式デバイスを制御するための１つまたは複数のインターフェースデバイスを備える。これにより、センサを調査対象の領域に向けて、再使用可能な電気デバイスを膣鏡上に位置決めすることが可能になり、電気デバイスのハウジングは膣鏡に連結され、インターフェースデバイスは依然として、操作者が自由に使えるところに、好ましくは膣の外側にある。
【００３６】
電気デバイスは、安全手段として、温度センサおよび制御回路を有することができ、制御回路は、温度センサが所定の安全温度を上回る温度を測定すると措置を講じるように構成される。
【００３７】
説明される特徴のいずれも、本明細書に説明される利点のいずれも、そのように行うことはできないと明示的に示されない限り、単一の実施形態に組み合わせられ得る。この発明の分配デバイスまたは閉鎖システムは、さまざまな設計を有する多様な従来のまたは特別な容器と共に使用するのに適切であり、その詳細は、図示も説明もされていないが、当技術分野およびそのような容器を理解する当業者には明らかであろう。また、新規および明らかでない本発明の態様が、説明される例示的な分配システムにおいて具現化されるが、本明細書において開示される特徴の明示的に説明されていない可能な組み合わせにおいても具現化されることが、当業者によって理解されるであろう。
【００３８】
本発明は、図に示される好ましい実施形態を参照してより詳細に説明される。しかし、本発明は、開示されたまたは図示された実施形態に限定されるものではない。同一または類似の特徴は、同じ参照番号によって示される。
【図面の簡単な説明】
【００３９】
【図１】本発明による膣鏡の実施形態の三次元図。
【図２】本発明による再使用可能な電気デバイスを示す図。
【図３】本発明による検鏡の組立体の部分的に分解された側面図。
【図４ａ】本発明による組立体の断面図。
【図４ｂ】本発明による組立体の部分的分解図。
【図５】本発明による組立体の詳細の部分的分解図。
【図６】本発明の実施形態による膣鏡を示す図。
【図７ａ】本発明の膣鏡の詳細図。
【図７ｂ】本発明の膣鏡の別の詳細図。
【図８ａ】本発明の実施形態による再使用可能なデバイスを示す図。
【図８ｂ】本発明の実施形態による再使用可能なデバイスを示す別の図。
【図８ｃ】本発明の実施形態による再使用可能なデバイスを示す別の図。
【図９】本発明の実施形態による再使用可能な電気デバイスを有する従来技術の検鏡を示す図。
【発明を実施するための形態】
【００４０】
図１は、検鏡１０を示す。主ハウジング１１が示される。主ハウジング１１は、近位端部１２と遠位端部１３とを有する。主ハウジング１１は、射出成形で一体品として製造され得る。しかし、多くの異なる選択肢が利用可能である。別個に製造されるが、連結されるいくつかの部分を備える主ハウジング１１もまた、本発明の一部であることができる。
【００４１】
遠位端部１３は、膣に挿入されるものである。近位端部１２は、膣の外側に留まる。矢印１４は、通常の挿入方向を示す。
【００４２】
近位端部１２の近くでは、主ハウジング１１は、幅広となり、図示される実施形態では、患者の大陰唇と係合して広げるか、または陰毛をよけるように構成された２つの耳部１５、１６を備える。耳部１５、１６はまた、膣内へのさらなる挿入を防止するための止め具として構成される。特に点１７から近位では、膣鏡ハウジング１１は、膣に入らないように構成される。点１７から近位では、ハウジングは、外方向に大きく放射状に広がり、止め具として作用する。膣により深く挿入することを防止するか、または止めるために、さらなる止め具または切欠部が存在することができる。
【００４３】
ヒンジ３０が、主ハウジング１１をスプーンブレード４０に連結する。
【００４４】
点１７から遠位では、主ハウジングのハウジング部２０は、チューブと同様に形成される。特に主ハウジング部２０は、点１７の遠位で開始し、ヒンジ３０の近位まで延び、ハウジングは、断面がＯ字形状である。他の実施形態では、ハウジングは、Ｃ字形状またはＵ字形状である。円形、楕円、および他の中空の断面が可能である。断面方向は、挿入方向１４に対して垂直である。中空ハウジング１１は、矢印１８によって示される内部開放領域を通して遠位端部１３に向かって挿入方向１４に見ることを可能にする。
【００４５】
ハウジング部２０上には、狭窄部２２が存在することができる。狭窄部２２は、使用時に膣の内部に位置決めされ、外肛門括約筋および／または球海綿体筋と係合するように構成される。これにより、内部に向けられる力をもたらすことなく、検鏡を膣内に挿入し、検鏡の位置を維持することが可能になる。内部の膣筋は、検鏡をその挿入された位置に保持するために狭窄部と係合する。スプーンブレード４０は狭窄部よりも遠位にあるため、示された筋肉を超えて挿入したときのスプーンブレードを開く力は、小さくてすむ。
【００４６】
さらにリブ（図示せず）が存在することができる。リブは、好ましくは検鏡の下側に形成される。上側は、矢印２７によって示される。底側は、矢印２８によって示される。
【００４７】
ヒンジ３０または任意の他の連結部が、スプーンブレード４０をハウジング１１に連結するために存在することができる。本発明の実施形態では、２つのスプーンブレードが存在することができる。ヒンジ３０は、ハウジングおよび／またはスプーンと同じプラスチック材料から形成されたリップとして形成することができ、リップは、曲げることができるようにより細く形成される。
【００４８】
ヒンジ３０は、スプーンブレードの開放を可能にする。ヒンジ３０は、ヒンジ軸３１周りでヒンジ留めすることを可能にする。図示される実施形態では、スプーンブレードは閉じられていない。スプーンブレード４０は、これを矢印４１にしたがってハウジング１１に対して動かすことによって閉位置に持っていかれ得る。スプーンブレード４０はまた、これを矢印４２にしたがって動かすことによってより開状態に持っていかれ得る。
【００４９】
膣内に挿入されている間にスプーンブレード４０を作動させるために、作動デバイス５０が存在する。作動デバイス５０はまた、検鏡の別の機能、たとえば拡張を操作するように構成され得る。
【００５０】
作動デバイス５０は、ハウジング１１内に装着され、矢印５１にしたがってハウジング１１に対して摺動することができる。ハウジング１１の内側に、好ましくは拡張機能を有さないハウジングのＣ字形状またはＯ字形状内に、作動デバイスを摺動させるためのガイドが形成される。ユーザは作動デバイス５０を、切欠部９４によって形成されたその近位端部４９に係合することによって作動させることができる。
【００５１】
作動デバイス５０は、スプーンブレード４０に連結される。作動デバイス５０を遠位端部１３に向かって、方向５１に沿って動かすことにより、スプーンブレード４０は、方向４１に動かされる。作動デバイス５０を反対方向に動かすことで、スプーンブレード４０は方向４２に動くことができる。作動に必要とされる力をもたらすために、ユーザは、いずれかの方向５１に押し出すために切欠部９４とハウジング１１の両方に係合することができる。
【００５２】
諸実施形態では、ラチェット機構が、作動デバイスをロックし、それによってスプーンブレード４０を開位置にロックするために存在することができる。ラチェット機構の詳細は図１に示されないが、ロック解除デバイス５２が示される。このロック解除デバイス５２は、ラチェットを係合解除することを可能にし、それにより、作動デバイスを動かすことが再度可能になり、たとえば、スプーンブレードは、開位置から閉位置に戻され得る。図示される実施形態では、ロック解除デバイス５２は、ラチェットをロック解除するために方向２８に押し出され得る。ロック解除デバイス５２を作動デバイス５０に対して方向２８に押し出した結果、可撓性によってヒンジ留めする動きが生じる。図５に関して論じられるように、ロック解除デバイスの歯５９は係合解除して、ハウジングに対する作動デバイスの逆方向の動きを可能にする。
【００５３】
作動デバイス５０上には、再使用可能な電気デバイス７０を検鏡に装着するための連結システムの一部であるレール５７が、形成される。図示される実施形態では、連結システムは、作動デバイス５０上にあるが、他の実施形態では、連結システム／レール５７は、ハウジング１１上に形成され得る。
【００５４】
再使用可能な電気デバイス７０が、図２に示される。再使用可能な電気デバイス７０は、遠位端部（矢印７１）および近位端部（矢印７２）を備えたハウジング７４を有する。切欠部７３が、近位端部においてハウジング７４上に形成される。インターフェースデバイス７６が、近位端部７２に形成される。遠位端部７１の近くには、光が再使用可能な電気デバイス７０を出入りするために、アパーチャまたは窓７８が形成され得る。ハウジングの内側には、電池、センサ、照明装置などが存在することができる。光は、窓７８またはセンサを通して発することができ、したがってＣＣＤまたはＣＭＯＳは窓７８を通して入る光を検出することができる。再使用可能な電気デバイス内の電気式デバイスは、１つまたは複数のインターフェースユニット７６によって作動され得る。
【００５５】
再使用可能な電気デバイス７０のハウジング７４の両側のウィング７５は、作動デバイス５０上のレール５７と係合するように構成される。ウィング７５およびレール５７は、電気デバイス７０を膣鏡に装着するための連結システムを形成する。図８ａは、レール５７が内部に受け入れられる受け入れスペース９５をより詳細に示す。すべては、検鏡に対する再使用可能な電気デバイスの連結システムの一部および例である。
【００５６】
作動デバイス７０は、ハウジング７４がその下方およびその間に受け入れられるように成形される。レール５７およびウィング７５は、これらが係合することができ、電気デバイスを検鏡１０に装着するために電気デバイス７０が挿入方向５１に動かされるように形成される。
【００５７】
使用時、窓７８は、遠位端部１３に近接して位置決めされ、インターフェースユニット７６は、近位端部１２近くに位置決めされる。切欠部７３は、ハウジング７４を遠くに挿入しすぎることを防止する。窓７８は、使用時、ヒンジ３０から近位に位置決めされる。
【００５８】
再使用可能なデバイスを検鏡に装着するための適切な連結システムを形成するために、多くの実施形態が可能であることは明確である。諸実施形態では、ハウジング１１またはハウジング部２０は、連結システムの一部を有する。連結システムは、装着された電気デバイスを所定の位置に保持するためのロックを備えることができる。
【００５９】
図３は、作動デバイス５０、スプーンブレード４０、およびハウジング１１をより詳細に示し、スプーンブレード４０は開状態にある。電気デバイス７０は装着されていない。ハウジング部２０の内側に、作動デバイス５０は摺動可能に装着される。作動デバイス５０は、ヒンジ５４によって連結された第１のアーム５３および第２のアーム５５を備える。第１のアーム５３は、作動されたとき、全体的に長手方向に動く。
【００６０】
第２のアーム５５の遠位端部近くに、スプーンブレード４０の内側に形成されたロッキングユニット４４と係合するロッキングユニット５６が、形成される。ロッキングユニット４４および５６は、作動デバイス５０の動きが、矢印４１または４２にしたがったスプーンブレード４０のヒンジ留めに対応するように連結される。
【００６１】
作動デバイス５０を挿入位置に保持するためのラチェット機構の一部であるラチェット歯５９が、示される。ラチェット歯５９は、ハウジング１１の内面上に形成された対向歯５８と係合することができる。ロック解除デバイス５２は、作動デバイス５０、ここでは第１のアーム５３にヒンジ留め可能に連結される。ロック解除デバイス５２は、歯５９を有する。
【００６２】
ロック解除デバイス５２および切欠部９４は、互いに近接して位置決めされる。これにより、ユーザは指を使用して片手でこれらのいずれかを作動させることが可能になる。ロック解除デバイス５２は、ラチェット機構をロック解除するために下方向２８に押し出すことができ、その結果作動デバイスを逆方向／外方向に動かすことができる。これは、次いで、スプーンブレードを閉じる結果となる。諸実施形態では、作動デバイス５０とスプーンブレード４０との間の連結は、作動デバイス５０が近位方向に動かされたときに連結解除される。
【００６３】
図４ａおよび４は、類似の部分を示すために同じ参照番号が使用される、幾分類似する実施形態を示す。図４ａは、装着位置にある検鏡１０および再使用可能な電気デバイス７０の組立体を示す。スプーンブレード４０は、閉状態で示される。
【００６４】
使用時に膣内部にあるハウジング部２０は、断面がＯ字形状である。ハウジング部２０の内側表面に沿って、作動デバイス５０と電気デバイス７０の両方が装着可能であり、非常に限られた様式によってのみ、ハウジング１１の内部空洞を通してユーザの視野を低減させる。ハウジング部２０は、Ｏ字形状またはＣ字形状であることができる。諸実施形態では、ハウジング部２０の断面は、膣のサイズに調整されるように変更可能である。
【００６５】
図から分かるように、電気デバイスの遠位端部７１は、検鏡１０の遠位端部１３に近接して位置決めされる。これにより、電気デバイスは検査対象の領域に近接して位置決めされる。作動デバイスを矢印１４にしたがってさらに内方向に押し出すことによって作動させることで、電気デバイスはいっそう近接する。しかし、電気デバイスの遠位端部７１は、好ましくは、スプーンブレードが開かれたときでもヒンジ３０から近位に位置決めされる。この結果、ハウジング部２０の内側に保護構成が得られる。
【００６６】
ガイドまたはレールを使用する、電気デバイス７０と作動デバイス５０との間の連結システムの一例が示されているが、異なる実施形態が可能であることが明確である。
【００６７】
切欠部９４は、作動デバイス５０の近位部である。切欠部９４および切欠部７３は、対応するように成形される。電気デバイスが連結される場合、単一の切欠部９４／７３が形成される。ユーザは、単一の切欠部９４／７３を使用して作動デバイス５０を作動させることができ、電気デバイスと作動デバイスの両方が挿入方向１４に動かされることを確実にする。
【００６８】
図４ｂの実施形態では、電気デバイス７０の近位端部７２には、有線接続を行うための端子９７が設けられる。この端子９７は、ＵＳＢコネクタであることができる。多くの異なる有線接続が可能であることが明確である。さらに、ＬＥＤインジケータ９８が示される。このインジケータは、たとえば、電池の状態および／または電気デバイスの作動モードまたは待機モードを示すことができる。ＬＥＤは、異なる色を有することができ、連続的または間欠的に光を発することができる。端子９７を備えた実施形態に加えて、または端子９７と置き換えて、近位端部９２近くでハウジング７４に入る線材が存在することができる。この線材は、インターフェースまたは制御デバイス、たとえばコンピュータなどの外部デバイスとの接続のための、接続端部、たとえばＵＳＢコネクタを有することができる。電気デバイス７０の機能は、インターフェースまたは制御デバイスから制御可能であり、線材を通して命令が送られる。電気デバイス７０によって取得された測定値および／またはデータは、線材を介してインターフェースまたは制御デバイスに送られ得る。他の実施形態では、インターフェースまたは制御デバイスとのワイヤレス接続が使用される。
【００６９】
図５は、ハウジング１１の内部表面内に形成されたガイド９０内で案内されるレール９１を有する作動デバイス５０を示す。
【００７０】
さらに図５は、ラチェット機構を形成するためにハウジング１１の内側に形成された歯５８を示す。
【００７１】
作動デバイス５０の第１のアーム部５３の一部は、アーム９３であり、これは歯５８と一緒になって、近位方向の止め具として作用して、ユーザが検鏡から作動デバイス５０を取り外すことを防止する。
【００７２】
図６は、ハウジング部２０におけるハウジング１１のＯ字形状断面を示す。ハウジング部２０は、作動デバイス５０のレール９１のためのガイド９０を有する。
【００７３】
ハウジング部２０は、全体的にＯ字形状で形成され、遠位端部に向かって収束するので、これもまた遠位端部に向かって全体的に収束する電気デバイス７０が、使用され得る。これにより、電気デバイスが視野をブロックする量が低減される。
【００７４】
図７ａおよび７ｂは、作動デバイス５０のさらなる詳細を示す。
【００７５】
図８ａ〜８ｃは、再使用可能な電気デバイス７０の詳細を示す。窓７８には、レンズ／カメラモジュール７９または他のデバイスが位置決めされ得る。図８ｂは近位端部７２の図を示し、ここではオン／オフボタン８３およびＵＳＢ接続ポート８４によって形成されたインターフェースデバイスを示す。ボタン８３は、たとえばビデオの開始／停止などの電気デバイスの機能を開始し、停止することを可能にする。開始／停止ボタンは、デバイスのオン／オフ状態を示すために光（ＬＥＤ）を含むことができる。図８ｃは、上面図を示す。
【００７６】
再使用可能な電気デバイス７０は、詳細は示されない内部ＰＣＢを備える。１つまたは複数のＰＣＢは、異なる機能を提供するための異なるモジュールを備える。一実施形態では、電気デバイス７０は、ハウジング７４の内側に、電池（８７）のそばに、
画像プロセッサモジュール８８に結合されたカメラモジュール７９と、
ＷＩＦＩモジュール８５および／またはＵＳＢ接続８４を有するＵＳＢモジュールを含むことができる通信モジュール８６とを備える。
【００７７】
２つまたはそれ以上のモジュールが、プロセッサ（図示せず）によって接続され得る。オン／オフスイッチ８３に接続された、送受信機およびｉ／ｏインターフェース、ならびにオンオフモジュールなどのより多くのモジュールが、ハウジング内に受け入れられ得る。通信モジュールは、カメラモジュール７９から信号を出力することを可能にする。
【００７８】
通信モジュールは、送受信機を含むことができる。諸実施形態では、アンテナ、図８ｃの実施形態ではＷＩＦＩアンテナは、電池よりも近位に位置する。オン／オフスイッチ８３およびＵＳＢポート８４などのＩ／Ｏインターフェースは、電池よりも近位に、アンテナ８５よりも近位に位置決めされる。本発明の実施形態では、通信モジュール８６は、再使用可能なデバイスの近位端部７２近くに位置する。一実施形態では、電池８７は、通信モジュール８６よりも遠位に位置決めされる。
【００７９】
電気デバイス７０は、いくつかの安全特徴を備えることができる。諸実施形態では、温度センサが、ハウジング７４内に、好ましくは電池８７近くに受け入れられる。センサは、プロセッサに接続され得る。センサが所定の閾値、たとえば摂氏７０度を上回る温度を検知すると、プロセッサは安全措置として電気デバイスの作動を停止させることができる。センサは、電池の（過剰な）加熱の検知を可能にし、安全措置として機能する。諸実施形態では、電池は、閉じられたハウジングの内側の別の材料に受け入れられるか、または埋め込まれる。
【００８０】
他の実施形態では、通信モジュール８６およびワイヤレスモジュール８５は、存在しない。ハウジング７４を近位端部７２において退出する、カメラユニット７９からの有線接続が設けられ、この線材は、インターフェースまたはコンピュータなどの制御デバイスに接続可能である。
【００８１】
図９は、２つのスプーンブレードを有する従来技術の検鏡を示す。ヒンジ１５０が、ブレード同士を連結させる。類似の電気デバイス７０を従来技術のデバイス内に上記で説明したのと同じようにして挿入した結果、検鏡を通した視野はブロックされる。
【図１】
2019534093.tif 000003
【図２】
2019534093.tif 000004
【図３】
2019534093.tif 000005
【図４ａ】
2019534093.tif 000006
【図４ｂ】
2019534093.tif 000007
【図５】
2019534093.tif 000008
【図６】
2019534093.tif 000009
【図７ａ】
2019534093.tif 000010
【図７ｂ】
2019534093.tif 000011
【図８ａ】
2019534093.tif 000012
【図８ｂ】
2019534093.tif 000013
【図８ｃ】
2019534093.tif 000014
【図９】
2019534093.tif 000015
【国際調査報告】
2019534093.tif 000016
2019534093.tif 000017
2019534093.tif 000018
2019534093.tif 000019
2019534093.tif 000020